(57)【要約】【課題】昇降板の下に足を踏み入れたまま下降動作させ、昇降板で足を挟まれても痛くない昇降式ベッドを提供する。【解決手段】ベース１とそのベース１と同じ大きさに形成された昇降板２の本体部分２ａとをＸ型平行リンク３ａで連結することにより、前記本体部分２ａを水平姿勢のまま昇降移動可能とし、その本体部分２ａとは別体に形成されたオーバーサイズ部分２ｂを、本体部分２ａの外周に突設された係止部４，４・・に乗せ掛け支持する。ベース１と本体部分２ａとの間には蛇腹６を取り付け、昇降板２の下には、ベース１に達するまで足が入り込まないようにする。【選択図】    図１
2004329621.tif 000002
【特許請求の範囲】
【請求項１】
ベースとそのベースの基準面より大きい昇降板を、基準面の真上に当たる空間内のみを動作エリアとした昇降機構で連結し、前記昇降板を基準面と同じサイズの本体部分と、その外側に当たるオーバーサイズ部分とに分割し、オーバーサイズ部分を本体部分に対して上方へ待避動作可能とした昇降式ベッド。
【請求項２】
オーバーサイズ部分が、本体部分の全周を囲む枠体形状に設定されている請求項１に記載の昇降式ベッド。
【請求項３】
オーバーサイズ部分が本体部分の外周に突設された係止部に乗せ掛け支持されている請求項１又は２に記載の昇降式ベッド。
【請求項４】
昇降板の表面に、本体部分とオーバーラップ部分とに跨って一枚の薄い畳が敷設されている請求項１〜３のいずれかに記載の昇降式ベッド。
【請求項５】
昇降機構の動作エリアの周囲を蛇腹式カバーで覆った請求項１〜４のいずれかに記載の昇降式ベッド。
【請求項６】
昇降機構を縮めた折り畳み高さを、畳１枚分の厚さと同じに設定した請求項１〜５のいずれかに記載の昇降式ベッド。
【発明の詳細な説明】
【０００１】
【発明の属する技術分野】
本発明は、ベースと昇降板とを昇降機構で連結することにより、昇降板の高さを調整可能としたベッドであって、殊に、昇降板がベースより大きいサイズである場合に好適な昇降式ベッドに関する。
【０００２】
【従来の技術】
昇降板（床部）の高さを自由に調節できる昇降式ベッドは、介護者のみならず介護が必要な患者にとっても重宝なものである。
この種のベッドとしては、これまでに例えば特許文献１、特許文献２に記載の技術等が知られている。
特許文献１に記載の昇降式ベッドは、脚付きベースと昇降板とを昇降機構で連結し、昇降板を斜め方向に移動させる構造が採られている。
又、引用文献２に記載の昇降ベッドは、脚なしのベースと昇降板とを昇降機構で連結し、昇降板を垂直方向に移動させる構造となっている。
【０００３】
【特許文献１】
特開平５−１７６８２９号公報
【特許文献２】
特開２００２−１２５８０７号公報
【０００４】
【発明が解決しようとする課題】
特許文献１に記載の昇降式ベッドは、昇降板を上昇操作すると昇降板はべースに対して横にずれる、言い換えれば片端側が昇降板の真下から外側に出張った状態となるので、その出っ張った部分を踏み台代わりに利用して作業することができるが、その作業中に昇降板を下降させると、昇降板が膝に当ったり足が挟まれてしまう虞がある。
又、特許文献２に記載の昇降式ベッドでは、昇降板が垂直に移動するのでベースを踏み台代わりにすることはないが、その昇降式ベッドにあっても、足の先がベースにかかっていると、昇降板を下げた際に足の先を挟んでしまう虞れがある。
【０００５】
足を挟まれないようにするためには、足が昇降板の下に当たる領域に入れないように気を付けていなければならないが、前のめり姿勢で介護者を抱き上げる際には、できるだけ体を昇降板に近づけた方が安定する。
そのため、ベースが昇降板より小さいと、足の先がベースにかからないにしろ昇降板の下のエリアに入り込んだ状態で作業することが多くなり、その状態で昇降板を下げた時に足を挟みやすい。
特許文献２に開示の昇降式ベッドでは、昇降板の下に子供が潜り込むなどしたことをセンサで検知し、適切な措置、対策を施すことを可能とはしているが、昇降板の真下に当たるエリアとその外側のエリアとの境界部分における検知精度や、検知できない死角をなくせない等といった検知能力との絡みから、足が挟まれることを完全に防止することができない。
【０００６】
【課題を解決するための手段】
本発明は、足を挟まれてもその被害を最小限に食いとめることを目的とした昇降式ベッドであって、その構成は、ベースとそのベースの基準面より大きい昇降板を、基準面の真上に当たる空間内のみを動作エリアとした昇降機構で連結し、前記昇降板を、基準面と同じサイズの本体部分と、その外側に当たるオーバーサイズ部分とに分割し、オーバーサイズ部分を本体部分に対して上方へ待避動作可能としたことにある。
ここで、ベースの基準面とは、昇降機構の動作エリアを網羅した仮想領域の広さを指したもので、実際のベースが占める領域に一致させる必要はなく、実際のベースより大きい場合や小さい場合も含まれる。
【０００７】
前記オーバーサイズ部分は、本体部分の全周を囲む枠体形状に設定することができ、又、オーバーサイズ部分は、本体部分の外周に突設された係止部に乗せ掛け支持することができる。
そして昇降板の表面に、本体部分と縁取り部分とに跨って一枚の薄い畳を敷設したり、昇降機構の動作エリアの周囲を蛇腹式カバーで覆ったり、昇降機構を縮めた折り畳み高さを、普通の畳１枚分の厚さと同じに設定することができる。
【０００８】
【発明の実施の形態】
以下に、本発明の実施形態を図面に基づいて説明する。
この昇降式ベッドは、図１に示すように、ベース１と、そのベース１より一回り大きく形成された昇降板２とが、Ｘ型平行リンク３ａと油圧シリンダ機構３ｂとで構成され、ベースの真上に当たる空間内を動作エリアとした昇降機構３（図２参照）によって連結されており、図示しない油圧ポンプから送られる油圧の力で動作する油圧シリンダ機構３ｂよって昇降板２の高さを自由に調節することができる。
【０００９】
昇降板２は、基準面に一致した寸法に枠組みされたベース１と同じサイズの本体部分２ａと、その本体部分２ａの周りを取り囲むオーバーサイズ部分２ｂとに分割されており、本体部分２ａは鋼板の周縁を下方に折り曲げることにより形成され、底面は空洞になっている。
オーバーサイズ部分２ｂも底面を空洞とすることはできるが、実施例では軽量の木材で形成され、本体部分２ａの外周に突設された係止部４，４・・に乗せ掛け支持されている。
又、本体部分２ａにオーバーサイズ部分２ｂを組み合わせて表面をフラットとした昇降板２には、その全面に、本体部分２ａとオーバーサイズ部分２ｂとに跨って薄い畳５が敷設される。
更に、基準面（ベース１）の上方に当たるエリアは、昇降板２の本体部分２ａとベース１との間に蛇腹６が取り付けられていて、昇降機構３の回りを蛇腹６で覆っている。
【００１０】
昇降板２は、オーバーサイズ部分２ｂの外形寸法を畳のサイズに合わせるべく、縦９００ｍｍ、横１８００ｍｍ、厚さが５０ｍｍに形成されており、昇降機構３は昇降板２を一番下まで降ろした状態、即ち、縮めた折り畳み時に畳と同じ寸法になるように設定されている。
従って昇降板２が一番下まで降ろされると、昇降板２の裏側空洞部内にベース１と昇降機構３とが納まって畳と同じ寸法となるので、既存の畳と入れ替え、和室に違和感なく埋め込み設置することができ（図３参照）、その上に布団７を敷けば、畳に敷いた布団の上で寝ている雰囲気を体感することができるし、必要に応じて昇降機構を作動させれば、高さ調整可能な昇降式ベッドとして利用できる。
尚、昇降式ベッドとして利用する場合は、昇降板の側縁にガード８・８を取り付けることが望ましい。
【００１１】
このようにして埋め込み設置された場合は、昇降板を上げた状態で昇降板が抜け出て空いた凹部内には足を入れないように気を付けるが、介護に没頭していて気が付かないこともあり得る。
ましてや埋め込み設置されていない場合であると、フロア面に凹部がないので、足の位置など気にせず、図４の（ａ）に示すように、蛇腹６で覆われたエリアの外ではあるが、昇降板２の下に当たるエリアに足９がかかったまま、昇降板２を強引に降ろし、図４の（ｂ）に示すように、足９の先を昇降板２（２ｂ）の下に敷いてしまい兼ねず、ベース１が昇降板２より小さければその傾向はより強い。
【００１２】
実施例の昇降式ベッドは、本体部分２ａの下に当たるエリアが蛇腹６で囲まれているので、少なくともその蛇腹６中に足を踏み入れることはなく、仮にオーバーサイズ部分に当たるエリアに足９を踏み入れていても、昇降板２が降りてきて足９の上に乗れば、オーバーサイズ部分２ｂが浮き上がるため、痛さを感じることもない（図５）。
【００１３】
オーバーサイズ部分２が、本体部分２ａの周りを取り囲む枠体形状に設定されていれば、どの位置にいても足の上にオーバーサイズ部分が乗るように配置できるので、信頼性に優れ、そのオーバーサイズ部分は、図６の（ａ）に示すように、４分割してオーバーサイズ部分２ｃ、２ｃ・が個々に浮き上がるようにもできる。
尚、壁際に配置したり数珠つなぎされる専用のタイプでは、昇降板２に、一方の片側縁のみを設定したり、図６の（ｂ）に示すように、対向する両側縁にオーバーサイズ部分２ｄ、ｄを設定したり、図６の（ｃ）に示すように、３辺に沿ってコ字状にオーバーサイズ部分２ｅを設定することができる。
【００１４】
又、昇降機構を縮めた折り畳み時の高さを畳の厚さと等しくすれば、畳と交換することによって埋め込み式として利用できるが、埋め込み式にこだわらなければ、折り畳み時の高さを畳の厚さ以上にしても差し支えなく、昇降機構は周知の様々なタイプから選択できるし、昇降板の表面に敷設した薄い畳を省略したり、昇降機構にストッパを設けることもできる。
【００１５】
尚、本体部分と分割されているオーバーサイズ部分を上方へ待動作可能とする手段は、係止部に乗せ掛ける以外、ヒンジにて上方へ折り曲げ可能に連結するなど、適宜変更可能である。
【００１６】
【発明の効果】
以上詳述したように、本発明によれば、昇降板が、昇降機構によってベースと連結されている本体部分とその本体部分と別体のオーバーサイズ部分とに分割され、而もオーバーサイズ部分は本体部分に対して上方へ待避動作するので、昇降板の下に足を踏み入れたまま下降動作させても、昇降板が足の上に乗った場合には、オーバーサイズ部分が浮き上がり、昇降板で足を挟まれたとしても痛くない。
そして、オーバーサイズ部分を、本体部分の周りを取り囲む枠体とすれば、どの位置にいても足挟み事故が防止され、オーバーサイズ部分を本体部分の外周に突設された係止部に乗せ掛け支持すれば、簡単な構造で目的達成ができる。
又、昇降板の表面に、本体部分とオーバーラップ部分とに跨って一枚の薄い畳を敷設すれば、畳の上に敷いた布団の上で休んでいる感覚を味わうことができ、更に、昇降機構の動作エリアの周囲を蛇腹式カバーで覆えば、本体部分に子供がもぐり込んだり介護者が足を踏み入れることも完全に防止できる。
【図面の簡単な説明】
【図１】本発明の昇降式ベッドを、昇降板からオーバーサイズ部分と薄い畳とを分離して示した説明図である。
【図２】昇降板を上昇させた状態を示した説明図である。
【図３】昇降板を降した状態を示した説明図である。
【図４】（ａ）、（ｂ）は、介護中の一例を示した説明図である。
【図５】降りてきた昇降板が足の上に乗った状態を示した説明図である。
【図６】オーバーサイズ部分の変更パターンを示した説明図である。
【符号の説明】
１・・ベース、２・・昇降板、２ａ・・本体部分、２ｂ、２ｃ、２ｄ、２ｅ・・オーバーサイズ部分、３・・昇降機構、３ａ・・Ｘ型平行リンク、３ｂ・・油圧シリンダ機構、４・・係止部、５・・薄い畳、６・・蛇腹、７・・布団、８・・ガード、９・・足。
【図１】
2004329621.tif 000003
【図２】
2004329621.tif 000004
【図３】
2004329621.tif 000005
【図４】
2004329621.tif 000006
【図５】
2004329621.tif 000007
【図６】
2004329621.tif 000008